(57)【特許請求の範囲】
【請求項１】
少なくとも前面に開口部を備えた箱体本体と該箱体本体の前記開口部を被覆する扉体と前記箱体本体内部に固定されるとともに開口を設けた機器取付板とからなる分電盤において、前記機器取付板に取り付けられる機器への入出線を前記開口を通して前記箱体本体と前記機器取付板とによって保持可能としたことを特徴とする分電盤入出線固定構造。
【請求項２】
前記分電盤入出線固定構造において、箱体本体に切り起こし部を設け、機器取付板と共に機器への入出線を保持可能としたことを特徴とする請求項１に記載の分電盤入出線固定構造。
【請求項３】
前記分電盤入出線固定構造において、機器取付板に曲げを設け、箱体本体と共に機器への入出線を保持可能としたことを特徴とする請求項１に記載の分電盤入出線固定構造
【発明の詳細な説明】
【技術分野】
【０００１】
本発明は、分電盤の入出線固定構造に関するものである。
【背景技術】
【０００２】
従来、分電盤で機器に入線する場合は機器の手前で、別部品の固定金具を機器取付板に用いる固定ネジとは別の金具固定ネジで固定して入出線を保持していた。
【０００３】
他の電線固定構造として特許文献１に記載されているような、空気調和機本体の内部一側に電源線の接続端子盤を底面側に具えた電装品箱を設け、接続端子盤に接続した電源線を電線押さえにより電装品箱の底面に固定するようにしてなるものにおいて、電線押さえを電装品箱の下部両側壁間に連結部を介して一体に設けると共に、同電線押さえの両側に電装品箱の底部への取付ネジを挿通する孔を設け、電装品箱の底部に孔に対向するネジ孔を設け、取付ネジを孔に挿通しネジ孔に螺着することによって電線を固定する方法が考えられる。
【０００４】
また他の電線固定構造として特許文献２に記載されているような、高さの異なる複数の圧接刃を圧接電線の軸方向を互いに交差するように配置した複数のターミナルと、一面を開口され、複数のターミナルにて同じ高さの圧接刃に圧接接続される圧接電線を略平行に収容する溝を備えるとともに異なる高さの圧接刃に圧接接続される圧接電線に対応する溝同士が編み目様に交差し、かつ、この交差部分にターミナルを収容する第一ケースと、この第一ケースの開口を覆蓋可能であるとともに、圧接電線を圧接刃に押し込むことができるように圧接電線に当接する電線押さえ部を備えた第二ケースとを具備する構成とする方法が考えられる。
【０００５】
また他の電線固定構造として特許文献３に記載されているような、複数台の情報機器端末からの電線群を端子盤に集約して接続するためのものであって、複数台の各情報機器端末に連なる多数の電線群を予め束ねてワイヤハーネス化しておき、そのワイヤハーネスの途中部には情報機器端末群のうちの一部を接続するための分岐箱を設け、この分岐箱には他の情報機器端末のための電線群を貫通させることにより電線群を束ね状態とする方法が考えられる。
【特許文献１】特開平１１−１８２８８８
【特許文献２】特許第３３５５５６３号
【特許文献３】特開平８−３２２１３３
【発明の開示】
【発明が解決しようとする課題】
【０００６】
しかしながら、特許文献１に記載の発明では電線を固定するために別部品が必要となり、これに伴って固定用のネジも必要となるためコストが発生するという欠点があった。
【０００７】
また、特許文献２に記載の発明では電線を固定するために別部品が複数必要となり、コストが発生するという欠点があった。加えて、圧接刃によって電線が圧接接続されるため、電線を傷つける恐れがあるという欠点があった。
【０００８】
また、特許文献３に記載の発明では電線を固定するために別部品が必要となり、これに伴って固定用のネジも必要となるためコストが発生するという欠点があった。
【０００９】
このため、本発明によって解決しようとする課題は、少なくとも前面に開口部を備えた箱体本体と該箱体本体の前記開口部を被覆する扉体と前記箱体本体内部に固定される機器取付板とからなる分電盤において、機器取付板に取り付けられる機器への入出線を固定するための別部品の固定金具と金具固定ネジを必要とせず、かつ電線を傷める恐れのない分電盤入出線固定構造を提供することにある。
【課題を解決するための手段】
【００１０】
上記した課題を解決するためになされた本発明の分電盤入出線固定構造は、分電盤の箱体本体内部に固定される機器取付板に開口を設けて機器取付板に取り付けられた機器への入出線を通し、箱体本体と機器取付板とによって入出線を保持可能にしたものである。
【発明の効果】
【００１１】
本発明の分電盤入出線固定構造によれば、少なくとも前面に開口部を備えた箱体本体と、箱体本体の開口部を被覆する扉体と箱体本体内部に固定されるとともに開口を設けた機器取付板とからなる分電盤において、機器取付板に取り付けられる機器への入出線を開口を通して箱体本体と機器取付板とによって保持可能としているため、入出線を固定するための別部品の固定金具と金具固定ネジのコストを削減できる。
【００１２】
又、機器取付板に取り付けられる機器への入出線を機器取付板に設けた開口を通して箱体本体と機器取付板とによって保持可能であり、面で入出線を挟み込むため入出線を傷めることなく保持できる。
【００１３】
又、入出線を機器取付板の下に配線するため他の機器を取り付ける等の作業を妨げず、固定金具の取り付けも必要としないため作業効率の向上が図れる。
【００１４】
又、箱体本体と機器取付板とによって入出線を保持するため、入出線の太さによって機器取付板を配置する高さを調節できる。
【発明を実施するための最良の形態】
【００１５】
本発明では、機器取付板に取り付けられる機器への入出線の固定構造を少ない部品数で可能にした。
【実施例１】
【００１６】
以下、本発明の実施の形態を説明する。
機器取付板に設けた開口の下方位置にあたる、箱体本体の一部を切り起こして本体切り起こし部を設ける。これにより、入出線を固定するための別部品の固定金具と金具固定ネジのコストを削減できる。
【実施例２】
【００１７】
機器取付板に設けた開口の底辺に曲げ加工を施す。これにより、入出線を固定するための別部品の固定金具と金具固定ネジのコストを削減できる。
【００１８】
以上のように、本発明の分電盤入出線固定構造は、機器取付板に取り付けられるブレーカへの入出線を固定するための別部品の固定金具と金具固定ネジを必要としないためコストを削減でき、かつ電線を傷める恐れのない分電盤入出線固定構造を提供できるものである。
【図面の簡単な説明】
【００１９】
【図１】従来技術の分電盤の正面図である。
【図２】本発明の実施例１における、箱体本体に切り起こし部を設けた分電盤の正面図である。
【図３】図２のＸをＡ−Ａで切った拡大断面斜視図である。
【図４】本発明の実施例２における、機器取付板に曲げを設けた分電盤の断面斜視図である。
【図５】図４のＹをＢ−Ｂで切った拡大断面斜視図である。
【符号の説明】
【００２０】
１、１１、２１、３１、４１    箱体本体
２、１２、２２、３２、４２    機器取付板
３、１３、２３、３３、４３    入出線
４、１４、３４    機器
５    固定金具
６    金具固定ネジ
１７、２７、３７、４７    開口
２８    切り起こし部
３９、４９    曲げ
【図１】
0004999178.tif 000002
【図２】
0004999178.tif 000003
【図３】
0004999178.tif 000004
【図４】
0004999178.tif 000005
【図５】
0004999178.tif 000006